(57)【要約】      （修正有）【課題】無線周波数通信によって中央基地と通信する複数の周辺装置を備えるデータ転送システムのエネルギーの取り扱いを最適化する。【解決手段】データ転送システムは、複数の周辺装置１５，と、中央基地２１とを備えるとともに、周辺装置１５と中央基地２１との間でデータを転送できる無線周波数通信手段２４も備え、周辺装置１５でエネルギーを回収し、無線周波数通信手段２４によって、回収エネルギーの少なくとも一部を中央基地２１に転送する。【選択図】図４
2012195938.tif 000002
【特許請求の範囲】
【請求項１】
データ転送システム（１３）の管理方法であって、
−複数の周辺装置（１５）と、
−中央基地（２１）とを備えるとともに、
前記複数の周辺装置と前記中央基地との間でデータを転送できる無線周波数通信手段を備え、
−前記複数の周辺装置（１５）でエネルギーを回収し、
−前記回収したエネルギーの少なくとも一部を、前記無線周波数通信手段（２４）によって前記中央基地（２１）に転送し、
前記中央基地（２１）は、所定の周波数に同調しているアンテナ（２５）を備え、前記複数の周辺装置（１５）は、相互インピーダンスがゼロで、第１のループ（３１）が無線周波数信号（２７）の送信を扱い、第２のループ（３５）が無線周波数信号（２７）の受信を扱うダブルループアンテナ（２３）を備え、前記複数のアンテナ（２３）から送信される前記無線周波数信号（２７）を同期させるステップは、
−前記周辺装置（１５）から前記中央基地（２１）への通信プロセスが開始されると、前記中央基地（２１）から送信される無線周波数信号（２７）を検出するために、無線周波数信号（２７）を受信するように構成された前記アンテナ（２３）の前記ループ（３５）によって、リッスニングフェーズを実施するステップと、
−前記周辺装置（１５）が、前記中央基地（２１）から送信された無線周波数信号（２７）を検出した場合、前記検出した無線周波数信号（２７）を使用して、前記検出した無線周波数信号（２７）と同じ周波数で同じ位相の無線周波数信号（２７）を前記中央基地（２１）に送信するステップと、
−前記周辺装置（１５）が、前記中央基地（２１）から送信された無線周波数信号（２７）を検出しない場合、前記所定の周波数で無線周波数信号（２７）を送信するステップと、
−前記中央基地（２１）が、前記所定の周波数で周辺装置（１５）から送信された無線周波数信号（２７）を受信すると、前記受信した無線周波数信号（２７）を復元し、前記所定の周波数で無線周波数信号（２７）を前記複数の周辺装置（１５）に再送信するステップを備え、
前記無線周波数信号（２７）と同期を取ることによって、前記無線周波数信号（２７）間で相互に有害な影響を与えることなく、前記複数の周辺装置（１５）から、前記中央基地（２１）への同時エネルギー転送を可能にしていることを特徴とする管理方法。
【請求項２】
前記周辺装置は、識別手段を備え、周辺装置（１５）と前記中央基地（２１）との間で転送されるデータは、前記周辺装置（１５）の識別子を有していることを特徴とする請求項１に記載の管理方法。
【請求項３】
前記複数の周辺装置（１５）は、少なくとも１つの物理量を測定する手段（１７）を備え、周辺装置（１５）と前記中央基地（２１）との間で転送される前記データは、前記少なくとも１つの物理量の少なくとも１つの測定値を備え、前記中央基地（２１）は、前記少なくとも１つの物理量の前記少なくとも１つの測定値に対応する前記転送データを処理する手段を備えていることを特徴とする請求項１または２に記載の管理方法。
【請求項４】
前記複数の周辺装置（１５）から前記中央基地（２１）への前記エネルギー転送は、前記無線周波数通信手段（２４）の誘導結合によって行われることを特徴とする請求項１〜３のいずれか１項に記載の管理方法。
【請求項５】
前記エネルギー回収は、前記複数の周辺装置（１５）で入手可能なエネルギーの電気エネルギーへの変換を行うことを特徴とする請求項１〜４のいずれか１項に記載の管理方法。
【請求項６】
周辺装置（１５）による検出無線周波数信号（２７）に同期している無線周波数信号（２７）の生成は、成形電子回路によって行われることを特徴とする請求項１〜５のいずれか１項に記載の管理方法。
【請求項７】
周辺装置（１５）による検出無線周波数信号（２７）に同期している無線周波数信号（２７）の生成は、前記検出信号の共鳴周波数を見つけるために、位相シフトによる連続近似によって行われることを特徴とする請求項１〜５のいずれか１項に記載の管理方法。
【請求項８】
周辺装置（１５）による所定の周波数での無線周波数信号（２７）の送信は、前記周辺装置（１５）の局部発振器（５７）によって行われることを特徴とする請求項１〜７のいずれか１項に記載の管理方法。
【請求項９】
周辺装置（１５）による所定の周波数での無線周波数信号（２７）の送信は、前記所定の周波数でフィルタした電子ノイズに基づいて行われることを特徴とする請求項１〜７のいずれか１項に記載の管理方法。
【請求項１０】
前記所定の周波数は、１３．５６ＭＨｚであることを特徴とする請求項１〜９のいずれか１項に記載の管理方法。
【請求項１１】
任意の時点において、１つの周辺装置（１５）だけが前記中央基地（２１）にデータを送信することを特徴とする請求項１〜１０のいずれか１項に記載の管理方法。
【請求項１２】
前記中央基地（２１）への前記データの送信は、衝突防止プロトコルに従って、前記複数の周辺装置（１５）間で順に行われることを特徴とする請求項１１に記載の管理方法。
【請求項１３】
前記回収エネルギーの少なくとも一部の前記中央基地（２１）への転送は、回収エネルギーの量が所定の閾値に達すると行われることを特徴とする請求項１〜１２のいずれか１項に記載の管理方法。
【請求項１４】
前記エネルギーは、前記複数の周辺装置（１５）に蓄えられることを特徴とする請求項１〜１３のいずれか１項に記載の管理方法。
【請求項１５】
前記エネルギーは、前記中央基地（２１）に蓄えられることを特徴とする請求項１〜１４のいずれか１項に記載の管理方法。
【請求項１６】
前記中央基地（２１）は、周辺装置に所定のトリガ信号を送信して、前記データの取得を開始し、次いで前記周辺装置（１５）に信号を送信して、無線周波数識別によって取得される前記データを復元することを特徴とする請求項１５と組み合わせた請求項３〜５のいずれか１項に記載の管理方法。
【請求項１７】
データ転送システム（１３）であって、
−複数の周辺装置（１５）と、
−中央基地（２１）とを備えるとともに、
前記複数の周辺装置（１５）と前記中央基地（２１）との間でデータを転送できる無線周波数通信手段（２４）を備え、
−前記中央基地は、所定の周波数に同調しているアンテナを備え、周辺装置から前記所定の周波数で送信された無線周波数信号を復元し、前記複数の周辺装置に前記所定の周波数で無線周波数信号を再送信するように構成され、
−前記複数の周辺装置（１５）は、
−前記無線周波数通信手段（２４）によって、一方で前記複数の周辺装置（１５）に、他方で前記中央基地（２１）に、供給するためのエネルギーの回収手段（１９）と、
−ダブルループアンテナ（２３）であって、その第１のループ（３１）は、無線周波数信号（２７）を送信するように構成され、その第２のループ（３５）は、無線周波数信号（２７）を受信するように構成され、前記第１のループ（３１）と前記第２のループ（３５）は、相互インピーダンスがゼロになるように構成され、前記ダブルループアンテナ（２３）はまた、
−前記周辺装置（１５）から前記中央基地（２１）への通信プロセスが開始されると、前記中央基地（２１）から送信される無線周波数信号を検出するために、リッスニングフェーズを実施し、
−前記中央基地（２１）から送信された無線周波数信号を検出した場合、検出した無線周波数信号と同じ周波数で同じ位相の無線周波数信号を前記中央基地（２１）に送信し、
−検出しない場合、前記所定の周波数で無線周波数信号を送信するようにも構成されていることを特徴とするデータ転送システム。
【請求項１８】
前記周辺装置（１５）は、前記自周辺装置（１５）の識別子を供給できる識別手段と、前記識別子を前記自周辺装置（１５）から前記中央基地（２１）に転送できる前記通信手段とを備えていることを特徴とする請求項１７に記載のデータ転送システム（１３）。
【請求項１９】
前記周辺装置（１５）は、少なくとも１つの物理量を測定する手段（１７）を備え、
前記通信手段は、前記少なくとも１つの物理量の少なくとも１つの測定値を、前記複数の周辺装置（１５）から前記中央基地（２１）に転送でき、
前記中央基地（２１）は、前記少なくとも１つの物理量の前記少なくとも１つの測定値に対応する前記転送データを、処理する手段を備えていることを特徴とする請求項１７または１８に記載のデータ転送システム（１３）。
【請求項２０】
前記複数の周辺装置（１５）の前記ダブルループアンテナ（２３）は、所定の共通周波数で位相の合っている無線周波数信号（２７）を送信するように構成されていることを特徴とする請求項１７〜１９のいずれか１項に記載のデータ転送システム（１３）。
【請求項２１】
前記複数の周辺装置（１５）は、前記回収エネルギーを蓄える手段（２９）を備えていることを特徴とする請求項１７〜２０のいずれか１項に記載のデータ転送システム（１３）。
【請求項２２】
前記中央基地（２１）は、前記回収エネルギーを蓄える手段を備えていることを特徴とする請求項１７〜２１のいずれか１項に記載のデータ転送システム（１３）。
【請求項２３】
前記データ転送システム（１３）は、秤の上のユーザの足の位置に配置された複数の周辺装置（１５）を備える秤に相当し、前記複数の周辺装置（１５）は、前記秤に前記ユーザが乗ることによって供給されるエネルギーを回収する手段（１９）と、前記ユーザが乗ることによる力を測定する手段（１７）とを備え、前記中央基地（２１）は、前記複数の周辺装置から供給される前記測定値から前記ユーザの体重を決定する手段と、前記決定した体重を表示する手段とを備えている前記中央基地（２１）とを備えていることを特徴とする請求項１７〜２２のいずれか１項に記載のデータ転送システム（１３）。
【請求項２４】
前記秤に前記ユーザが乗ることによって供給されるエネルギーの前記回収手段（１９）は、磁石発電機を備え、前記ユーザが乗ることによる力の前記測定手段（１７）は、歪みゲージを備えていることを特徴とする請求項２３に記載のデータ転送システム（１３）。
【請求項２５】
前記転送システム（１３）は、ユーザの心臓の近くに配置された複数の周辺装置（１５）を備える除細動器に相当し、前記複数の周辺装置（１５）は、前記ユーザの心臓の鼓動によって供給されるエネルギーを回収する手段（１９）と、心拍数を測定する手段（１７）と、放電を行う手段とを備え、前記中央基地（２１）は、前記複数の周辺装置から供給される前記心拍数の測定値に基づき、放電を行う必要性を判定する手段を備えていることを特徴とする請求項１７〜２２のいずれか１項に記載のデータ転送システム（１３）。
【請求項２６】
前記転送システム（１３）は、人の生理的定数を監視するためのものであり、前記複数の周辺装置（１５）は、これらの生理的定数を測定する手段（１７）と、人体から供給されるエネルギーを回収する手段（１９）とを備え、前記中央基地（２１）は、前記人の生理的定数を保存および／または表示する手段を備えていることを特徴とする請求項１７〜２２のいずれか１項に記載のデータ転送システム（１３）。
【請求項２７】
前記人の生理的定数の測定手段（１７）、および人体から供給されるエネルギーの回収手段（１９）は、熱電対を備えていることを特徴とする請求項２６に記載のデータ転送システム（１３）。
【発明の詳細な説明】
【技術分野】
【０００１】
本発明は、データ転送システムの分野に関し、より詳細には、無線周波数通信によって中央基地と通信する複数の周辺装置を備える分散型データ転送システムと、その管理方法に関する。
【背景技術】
【０００２】
データ転送を行うためには、エネルギー源が必要である。従来技術では、無線周波数識別（ＲＦＩＤ）が公知であり、図１はその技術を示す。図１において、読取機とも呼ばれている中央基地１は、例えばバッテリ３などのエネルギー源を備えている。このエネルギー源により、中央基地１は、無線周波数送信部５に電力を供給できるようになっている。無線周波数信号は、アンテナ９を備えるタグと呼ばれている周辺装置７に送信される。無線周波数信号は、周辺装置７に電力を供給し、周辺装置７に関係するデータを回収するために使用される。しかし、中央基地１のバッテリ３は、定期的に交換されるか、または外部エネルギー源から充電される必要があり、これは、ある種の環境において、またはある種のアプリケーションにとって欠点になることがある。
【発明の概要】
【発明が解決しようとする課題】
【０００３】
従って、本発明の目的は、従来技術の上述の欠点を克服して、エネルギーの取り扱いを最適化する方法およびシステムを提供することである。
【課題を解決するための手段】
【０００４】
上記のように、本発明は、データ転送システムの管理方法に関し、このデータ転送システムは、
−複数の周辺装置と、
−中央基地とを備えるとともに、
周辺装置と中央基地との間でデータを転送できる無線周波数通信手段も備え、
−周辺装置でエネルギーを回収し、
−回収したエネルギーの少なくとも一部を、無線周波数通信手段によって中央基地に転送するものである。
【０００５】
本発明の別の態様による周辺装置は、識別手段を備え、周辺装置と中央基地との間で転送されるデータは、その周辺装置の識別子を備えている。
【０００６】
本発明の補助的な態様による周辺装置は、少なくとも１つの物理量を測定する手段を備え、周辺装置と中央基地との間で転送されるデータは、少なくとも１つの物理量の少なくとも１つの測定値を備え、中央基地は、少なくとも１つの物理量の少なくとも１つの測定値に対応する転送データを処理する手段を備えている。
【０００７】
別の実施形態においては、周辺装置から中央基地へのエネルギーの転送は、無線周波数通信手段の誘導結合によって行われる。
【０００８】
さらに別の実施形態においては、エネルギーの回収は、周辺装置で入手可能なエネルギーの電気エネルギーへの変換を行う。
【０００９】
補助的な態様による取得システムは、所定の周波数に同調しているアンテナを具備する中央基地を備え、周辺装置は、相互インピーダンスがゼロのダブルループアンテナを備え、その第１のループは無線周波数信号の送信を扱い、その第２のループは無線周波数信号の受信を扱い、複数のアンテナから送信される信号の同期を取るステップは、
−周辺装置から中央基地への通信プロセスが開始されると、中央基地から送信される無線周波数信号を検出するために、無線周波数信号を受信するように構成されたアンテナのループによって、リッスニングフェーズを実施するステップと、
−周辺装置が、中央基地から送信された無線周波数信号を検出した場合、検出した無線周波数信号を使用して、検出した無線周波数信号と同じ周波数で同じ位相の信号を中央基地に送信するステップと、
−周辺装置が、中央基地から送信される無線周波数信号を検出しない場合、所定の周波数で無線周波数信号を送信ステップと、
−中央基地が、所定の周波数で周辺装置から送信された無線周波数信号を受信すると、受信した無線周波数信号を復元し、所定の周波数で無線周波数信号を周辺装置に再送信するステップを備え、
無線周波数信号を同期させることにより、無線周波数信号間で互いに有害な影響を与えることなく、複数の周辺装置から中央基地へエネルギーの同時転送ができるものである。
【００１０】
別の実施形態においては、周辺装置による検出信号に同期する信号の生成は、成形電子回路によって行われる。
【００１１】
さらに別の実施形態においては、周辺装置による検出信号に同期した信号の生成は、検出信号の共振周波数を見つけるための、位相シフトによる連続近似によって行われる。
【００１２】
補助的な実施形態においては、周辺装置による所定の周波数での信号の送信は、周辺装置の局部発振器によって行われる。
【００１３】
別の実施形態においては、周辺装置による所定の周波数での信号の送信は、所定の周波数でフィルタした電子ノイズに基づいて行われる。
【００１４】
さらに別の実施形態においては、所定の周波数は、１３．５６ＭＨｚである。
【００１５】
補助的実施形態においては、所与の時点において、１つの周辺装置だけが中央基地にデータを送信する。
【００１６】
別の実施形態においては、データの中央基地への送信は、衝突防止プロトコルに従って周辺装置間で順に行われる。
【００１７】
さらに別の実施形態においては、回収エネルギーの少なくとも一部の中央基地への転送は、回収エネルギーの量が所定の閾値に達すると行われる。
【００１８】
補助的な実施形態においては、エネルギーは、周辺装置に蓄えられる。
【００１９】
別の実施形態においては、エネルギーは、中央基地に蓄えられる。
【００２０】
さらに別の実施形態においては、中央基地は、データの取得を開始するために、所定のトリガ信号を周辺装置に送信して、次いで無線周波数識別によって得られたデータを回収するために、信号を周辺装置に送信する。
【００２１】
また、本発明の実施形態は、データ転送システムにも関し、このデータ転送システムは、
−複数の周辺装置と、
−中央基地とを備えるとともに、
周辺装置と中央基地との間でデータを転送できる無線周波数通信手段を備え、
複数の周辺装置は、一方で複数の周辺装置に、他方で無線周波数通信手段によって中央基地に、供給するようになされたエネルギーの回収手段を備えている。
【００２２】
本発明の別の態様による周辺装置は、自周辺装置の識別子を供給できる識別手段と、この識別子を自周辺装置から中央基地に転送できる通信手段とを備えている。
【００２３】
本発明のさらに別の態様による周辺装置は、少なくとも１つの物理量を測定する手段を備え、
通信手段は、少なくとも１つの物理量の少なくとも１つの測定値を、周辺装置から中央基地へ転送でき、
中央基地は、少なくとも１つの物理量の少なくとも１つの測定値に対応する転送データを処理する手段を備えている。
【００２４】
別の実施形態による複数の周辺装置は、ダブルループアンテナを備え、その第１のループは無線周波数信号を送信するように構成され、その第２のループは無線周波数信号を受信するように構成され、第１のループと第２のループは、相互インピーダンスがゼロになるように構成されている。
【００２５】
さらに別の実施形態による周辺装置のダブルループアンテナは、所定の共通周波数で互いに位相が合っている無線周波数信号を送信するように構成されている。
【００２６】
補助的な実施形態による複数の周辺装置は、回収エネルギーを蓄える手段を備えている。
【００２７】
別の実施形態による中央基地は、回収エネルギーを蓄える手段を備えている。
【００２８】
さらに別の実施形態においては、取得システムは、秤上のユーザの足の位置に配置された周辺装置を備える秤に相当する。この周辺装置は、秤にユーザが乗っていることにより供給されるエネルギーを回収する手段と、ユーザが乗っていることによる力を測定する手段とを備え、中央基地は、周辺装置から供給される測定値からユーザの体重を決定する手段と、決定した体重を表示する手段とを備えている。
【００２９】
補助的な実施形態においては、秤にユーザが乗っていることにより供給されるエネルギーを回収する手段は、磁石発電機を備え、ユーザが乗っていることによる力を測定する手段は、歪みゲージを備えている。
【００３０】
別の実施形態においては、取得システムは、ユーザの心臓の近くに配置された周辺装置を備える除細動器に相当する。この周辺装置は、ユーザの心臓の鼓動によって供給されるエネルギーを回収する手段と、心拍数を測定する手段と、放電する手段とを備え、中央基地は、周辺装置から供給される心拍数の測定に基づいて、放電させる必要性を判定する手段を備えている。
【００３１】
さらに別の実施形態においては、取得システムは、人の生理的定数を監視するためのものである。周辺装置は、生理的定数を測定する手段と、人体から供給されるエネルギーを回収する手段とを備え、中央基地は、人の生理的パラメータを保存および／または表示する手段を備えている。
【００３２】
補助的な実施形態においては、人の生理的定数を測定する手段、および人体から供給されるエネルギーを回収する手段は、熱電対を備えている。
【００３３】
本発明の他の特徴および利点は、本発明の可能な実施形態を示し、かつ本発明を限定しない添付の図面を参照して、以下の説明を読むことにより、明らかになると思う。
【図面の簡単な説明】
【００３４】
【図１】従来技術による無線周波数識別に基づくデータ転送システムの図である。
【図２】本発明の実施形態によるデータ転送システムの全体図である。
【図３】本発明の実施形態によるデータ転送システムの図である。
【図４】本発明の実施形態によるデータ転送システムの図である。
【図５】周辺装置と中央基地との間の通信手段の例示的実施形態の図である。
【図６】第１の実施形態による周辺装置の送受信モジュールの全体図である。
【図７】周辺装置の受信増幅回路の例示的実施形態の詳細図である。
【図８】周辺装置の成形回路の例示的実施形態の詳細図である。
【図９】周辺装置のスイッチの制御回路の例示的実施形態の詳細図である。
【図１０】周辺装置の局部発振器の例示的実施形態の詳細図である。
【図１１】周辺装置の電力増幅器の例示的実施形態の詳細図である。
【図１２】周辺装置の帯域通過フィルタの例示的実施形態の詳細図である。
【図１３】第２の実施形態による周辺装置の送受信モジュールの全体図である。
【図１４】第１のプロセスによる周辺装置から中央基地へのデータ転送中における、周辺装置および中央基地の動作図である。
【図１５】第２のプロセスによる周辺装置から中央基地へのデータ転送中における、周辺装置および中央基地の動作図である。
【図１６】本発明の実施形態によるデータ転送システムを備える秤の図である。
【発明を実施するための形態】
【００３５】
すべての図において、同じ要素には同じ符号を付してある。
【００３６】
以下の説明において、「ＲＦＩＤ」という語は、無線周波数識別の略語である。
【００３７】
本発明の実施形態は、図２に全体を示すデータ転送システム１３に関する。このデータ転送システム１３は、複数の周辺装置１５を備えており、周辺装置１５は、周辺装置１５から送信するデータを受信し、データ処理を行うようにプログラムされた中央基地２１に供給するためのエネルギーの回収手段１９を備えている。データ転送システム１３はまた、無線周波数通信手段２４も備え、この無線周波数通信手段２４は、周辺装置１５と中央基地２１との間でデータ２６を送信し、周辺装置１５が回収したエネルギー２８の少なくとも一部を中央基地２１に送信できる。エネルギーの転送は、周辺装置１５から送信される無線周波数信号２７を誘導結合させることによって行われる。
【００３８】
本発明の一態様における周辺装置１５は、データ転送において、周辺装置１５に関係する識別子を中央基地２１に転送するために、例えば識別子を備えるメモリなどの識別手段を備えている。
【００３９】
図３に示す本発明の別の態様における周辺装置１５は、物理量を測定する手段１７を備え、測定値に対応するデータを通信手段２４によって中央基地２１に送信し、中央基地は、周辺装置１５から送信された測定値を処理する手段１８を備えている。測定手段１７とエネルギー回収手段１９は、エネルギー源と測定物理量と同様に、一体になっていてもよいし、また別々でもよい。さらに、エネルギー回収手段１９は、その環境で入手可能なエネルギー、例えば運動、熱または放射等のエネルギーを回収し、このエネルギーを無線周波数通信手段２４によって中央基地２１に転送するために、そのエネルギーを電気エネルギーに変換する。
【００４０】
図４に示す第１の実施形態による中央基地２１は、受動的であり、アンテナ２５を備えている。周辺装置は、３つあり、例えば充電式電池２９などの、回収エネルギーの蓄積手段を備えている。このエネルギーは、一方では、測定手段１７に電力を供給するために使用され、他方では、通信手段２４および受動的な中央基地２１に電力を供給するために使用される。
【００４１】
図５は、無線周波数通信手段２４を詳細に示し、この例では、周辺装置１５が２つある。通信手段２４は、周辺装置１５ごとに、ダブルループアンテナ２３を備えている。送信モジュール３３に接続されている第１のループ３１は、無線周波数信号２７を送信するように構成されており、受信モジュール３７に接続されている第２のループ３５は、無線周波数信号２７を受信するように構成されている。送信信号と受信信号との間の妨害を回避するために、ダブルループアンテナ２３は、２つのループ３１と３５との間の相互インピーダンスがゼロになるように構成されている。
【００４２】
さらに、中央基地２１は、周辺装置１５から送信される無線周波数信号２７を受信するため、および周辺装置１５に無線周波数信号２７を再送信するためのアンテナ２５を備えている。再送信する信号は、受信した信号に、周辺装置１５に送信すべきデータを挿入して変更した信号である。
【００４３】
データを送信するために、これらの無線周波数信号２７は、例えば、周辺装置１５において振幅変調または周波数変調などで、中央基地２１において電荷変調などで、変調されている。変調に使用される搬送波は、例えば１３．５６ＭＨｚなどの所定の周波数を有し、周辺装置１５のアンテナ２３および中央基地２１のアンテナ２５は、その周波数に同調されている。
【００４４】
さらに、この実施形態では、エネルギー回収手段１９は、すべての周辺装置１５に関して同じであり、共通のエネルギー源から電力が供給されている。測定値に対応するデータを送信する中央基地２１との通信プロトコルは、蓄積手段２９に蓄えられたエネルギーレベルが所定の閾値に達する時、または周辺装置の中にある内部クロックを使用して予め定めた時間に、初期設定される。従って、すべての周辺装置１５の通信プロトコルは、ほとんど同時に確立される。異なる周辺装置１５から送信される異なる無線周波数信号２７によって生じる有害な影響を回避するためには、これらの無線周波数信号２７の送信を同期させる必要がある。
【００４５】
この同期を取るためには、２つの異なるプロトコルを使用しうる。
【００４６】
第１の同期プロトコルにおいては、無線周波数通信の初期設定は、次のステップを備えている。
−周辺装置１５と中央基地２１との間の通信プロセスが開始されると、周辺装置１５は、リッスニングフェーズに進む。アンテナ２３のループ３５は、リッスニング期間中、中央基地のアンテナ２５が同期している、例えば１３．５６ＭＨｚなどの所定の周波数で、中央基地２１から送信される無線周波数信号２７を検出するように構成されている。
−周辺装置１５は、中央基地２１から送信（実際には再送信）された無線周波数信号を検出した場合、この検出した無線周波数信号を使用して、検出した信号と同じ周波数で同じ位相の無線周波数信号を生成し、中央基地２１に送信する。同期無線周波数信号の生成は、例えば、受信信号に同期した信号を生成するために使用される成形電子回路などによって行われる。
−周辺装置は、中央基地２１から送信される無線周波数信号を検出しない場合、例えば１３．５６ＭＨｚなどの所定の周波数で、無線周波数信号を送信する。
−中央基地２１は、所定の周波数で周辺装置１５から送信された無線周波数信号を受信すると、受信した無線周波数信号を復元し、周辺装置１５に所定の周波数で信号を再送信する。
【００４７】
従って、複数の周辺装置１５から送信される無線周波数信号２７はすべて同期され、この同期によって、無線周波数信号２７間で相互に有害な影響を与えることなく、複数の周辺装置１５から中央基地２１へのエネルギーの同時転送が可能になる。
【００４８】
周辺装置１５による所定の周波数での無線周波数信号２７の送信は、この周波数に同調した局部発振器によって行ってもよく、所定の周波数でノイズをフィルタすることによって、このノイズに基づいて行ってもよい。
【００４９】
図６は、通信手段２４、より詳細には、受信信号または所定の波長に同期している信号を生成するために使用しうる送信モジュール３３および受信モジュール３７の、例示的実施形態を示す。
【００５０】
アンテナ２３の受信ループ３５は、受信増幅回路３９に接続されている。その回路３９の回路図を図７に示す。
【００５１】
入力部４１は、ゼロ交差検出回路４３に接続されており、このゼロ交差検出回路４３は、直列に配置された２つの抵抗Ｒ１およびＲ２と、それらの抵抗を備えるブランチの中点に接続されたコンデンサＣ１とを備えている。抵抗Ｒ１は、電位Ｖ１に接続され、抵抗Ｒ２は、グランドに接続されている。このゼロ交差検出回路４３は、増幅回路４５で増幅するために、信号を増幅帯の中央の「位置」に置くことができる。
【００５２】
増幅回路４５は、第１の演算増幅器ＡＯ１および第２の演算増幅器ＡＯ２を備え、これらの演算増幅器は、第２の増幅器ＡＯ２の正入力端子によってカスケードに配置され、第１の増幅器ＡＯ１の正入力端子は、ゼロ交差検出回路４３の中点に接続されている。抵抗Ｒ３は、増幅器ＡＯ１の負入力端子と電位Ｖ２との間に接続され、この電位Ｖ２は、コンデンサＣ３を介してグランドに接続されている。抵抗Ｒ４は、コンデンサＣ２と並列に接続されており、増幅器ＡＯ１の負入力端子を出力端子に接続している。増幅器ＡＯ１の出力端子は、コンデンサＣ４を介してグランドに接続されている。抵抗Ｒ５は、増幅器ＡＯ２の負入力端子と電位Ｖ２との間に配置されている。抵抗Ｒ６は、増幅器ＡＯ２の負入力端子と出力端子との間に接続されている。増幅回路４５が増幅した信号は、次いで受信増幅回路３９の出力部４７において、一方では成形回路４９に、他方ではスイッチの制御回路５１に送られる。
【００５３】
図８は成形回路４９を示し、この成形回路４９は、コンデンサＣ５を備え、このコンデンサＣ５は、一端が成形回路の入力部４７に接続され、他端が直列に配置された２つの抵抗Ｒ７とＲ８を備えるブランチの中点に接続されている。抵抗７は、電位Ｖ３に接続され、抵抗Ｒ８は、グランドに接続されている。中点は、演算増幅器ＡＯ３の正入力端子に接続されている。増幅器ＡＯ３の負入力端子は、電位Ｖ４に接続されている。成形回路４９の出力部５３において、方形波信号が得られ、その信号はスイッチ５５に送られる。
【００５４】
スイッチ５５の制御回路５１は、スイッチ５５の接続を制御するために使用され、このスイッチ５５は、アンテナ２３の受信ループ３５における信号の受信または非受信に応じて、成形回路４９の出力部５３または局部発振器５７に接続することができる。
【００５５】
図９は、制御回路５１の詳細を示す。制御回路５１は、直列に配置された２つの抵抗Ｒ９とＲ１０と、それらの抵抗を備えるブランチの中点に接続されたコンデンサＣ６とを備え、抵抗Ｒ９は電位Ｖ５に接続され、抵抗Ｒ１０はグランドに接続されている。中点は、ツェナーダイオードＤＺ１に接続され、このツェナーダイオードＤＺ１は、増幅器ＡＯ４の正入力端子と、コンデンサＣ７を介してグランドとに接続されている。増幅器ＡＯ４の負入力端子は、電位Ｖ６に接続され、増幅器ＡＯ４の出力端子は、直列に配置された２つの抵抗Ｒ１１とＲ１２を介してグランドに接続され、これらの抵抗の中点は、制御回路５１の出力端子５９である。電位Ｖ６は、検出閾値に相当する。従って、受信ループ３５に受信信号が存在するかどうかを判定するために、信号の平均電圧を、閾電圧Ｖ６と比べる。信号が受信された場合、制御回路５１の出力部５９の電圧は、スイッチを成形回路４９の出力部５３と接続する方に制御し、信号が受信されない場合、スイッチを局部発振器５７と接続する方に制御する。
【００５６】
局部発振器５７は、図１０に示すように作られてもよい。局部発振器は、水晶Ｑ１を備え、この水晶Ｑ１の一端は、コンデンサＣ９を介してグランドに接続されるとともに、「ＡＮＤ」論理コネクタＡＮＤ１の出力端子に接続された抵抗１４に接続され、他端は、コンデンサＣ８を介してグランドに接続されるとともに、コネクタＡＮＤ１の第１の入力端子に接続されている。抵抗Ｒ１３は、コネクタＡＮＤ１の第１の入力端子と出力端子とを接続している。コネクタＡＮＤ１の第２の入力端子は、電圧源Ｖ７および「ＡＮＤ」論理コネクタＡＮＤ２の第１の入力端子に接続されている。コネクタＡＮＤ１の出力端子は、コネクタＡＮＤ２の第２の入力端子に接続されている。コネクタＡＮＤ２の出力端子は、局部発振器５７の出力部６１に相当し、局部発振器５７の出力部６１に生成される信号は、スイッチ５５に送られる。（成形回路４９または局部発振器５７に由来する）スイッチ５５からの出力信号は、電力増幅器６３の入力部６２に送られる。この詳細については、図１１に示す。
【００５７】
電力増幅器６３は、第１の増幅段６５を備え、この第１の増幅段６５は、コンデンサＣ１０と、それに直列に接続された抵抗Ｒ１５と、その抵抗Ｒ１５が中点に接続された、直列に配置された第１の抵抗Ｒ１６と第２の抵抗Ｒ１７から成るブランチを備えている。第１の抵抗Ｒ１６は、グランドに接続され、第２の抵抗Ｒ１７は、電位Ｖ８に接続されている。ブランチの中点は、シュミットトリガＡ１にも接続され、このシュミットトリガＡ１の出力部は、第２の増幅段６７の入力部６８に接続されている。この入力部６８は、第１のブランチであって、並列に配置された３つのシュミットトリガＡ２、Ａ３、Ａ４と、それらのシュミットトリガに直列に接続されたコンデンサＣ１１とを備え、リンク点７０に接続された第１のブランチと、第２のブランチであって、並列に配置された２つのシュミットトリガと、それらのシュミットトリガに直列に接続されたコンデンサＣ１２とを備え、リンク点７２に接続された第２のブランチとに接続されている。リンク点７０および７２は、直列の３つの抵抗Ｒ１８、Ｒ１９およびＲ２０を備えるブランチの途中の点に相当する。リンク点７０は、抵抗Ｒ１８とＲ１９との間にあり、リンク点７２は、抵抗Ｒ１９とＲ２０との間にある。抵抗Ｒ１８は、電位Ｖ９に接続され、抵抗Ｒ２０は、グランドに接続されている。２つのｐタイプＭＯＳＦＥＴトランジスタＴ１およびＴ２のゲートは、中点７０に接続され、ソースは電位Ｖ９に接続され、ドレインは抵抗Ｒ２１の第１の端子に接続されている。ｎタイプＭＯＳＦＥＴトランジスタＴ３のゲートは、リンク点７２に接続され、ソースはグランドに接続され、ドレインは抵抗Ｒ２１の第１の端子に接続されている。この抵抗Ｒ２１の第２の端子は、電力増幅器６３の出力部６９に接続されている。
【００５８】
増幅された信号は、例えば１３．５６ＭＨｚなどの所望の周波数を選択するために、電力増幅器６３の出力部６９から帯域通過フィルタ７１に送られる。
【００５９】
図１２は、帯域通過フィルタ７１の一例を示す。フィルタ７１の入力部は、増幅器６３の出力部６９に相当し、インダクタＬ１と、直列に配置された２つのコンデンサＣ１３およびＣ１５とを備え、フィルタ７１の出力部７３に接続されているブランチに接続されている。インダクタＬ２と直列に接続されているコンデンサＣ１４は、コンデンサＣ１５と並列に配置されている。さらに、コンデンサＣ１４とインダクタＬ２との間の接続は、グランドに接続されている。インダクタとコンデンサの値により、フィルタの遮断周波数が決まるので、送信する周波数を調節できる。従って、この装置は、受信信号と同じ周波数で同じ位相の信号を送信するため、または所与の周波数で信号を送信するために使用することができる。さらに、所与の周波数で送信される信号は、例えば電力増幅器の電子ノイズなどのノイズから生成することができる。ノイズをフィルタして、送信信号のための所望の周波数が得られるので、局部発振器５７なしで済ますことができる。
【００６０】
第２の同期プロトコルにおいては、周辺装置１５の通信手段から送信された無線周波数信号との同期は、位相オフセットの連続近似によって、アンテナから受信された信号の共鳴周波数を探すことによって得られる。
【００６１】
図１３は、共鳴周波数を探して同期を取るために使用することができる受信モジュール３７および送信モジュール３３の例示的実施形態を示す。
【００６２】
アンテナ２３の受信ループ３５で受信した無線周波数信号は、受信回路７５に送られて復調され、次いで共鳴分析モジュール７７に送られ、この共鳴分析モジュール７７において、信号が分析されて、その振幅が測定される。共鳴分析モジュール７７において測定された振幅に応じて、信号は、位相オフセットモジュール７９に送られ、この位相オフセットモジュール７９は、局部発振器８１から送信される信号の位相シフトのオフセットを命令する。従って、信号の位相は、共鳴分析モジュール７７で測定された振幅の関数として制御される。位相の調節は、例えば、（小さい位相オフセットで）連続的に近似することによって行われ、共鳴が最大になる方向に進むことができる。局部発振器によって生成された信号は、信号成形回路８３に、次いで送信回路８５に送られて、アンテナ２３の送信ループ３１に電力を供給する。
【００６３】
最大共鳴の探索は、連続的であり、位相オフセットの方向は、測定履歴に基づいて決定される。位相オフセット後に振幅が減少する場合、位相オフセットの方向は反転される。こうして、すべての周辺装置は、受信信号の共鳴周波数に同期され、これによって、すべての周辺装置１５の相互同期を取ることができる。
【００６４】
いったん異なる周辺装置１５からの信号が同期されると、周辺装置１５は、中央基地１５で受信される信号間で有害な影響を与えることなく、中央基地２１にエネルギーを送信できる。受信エネルギーの量が中央基地２１を動作させるのに十分な場合、中央基地２１は、受信信号を電荷変調して起動信号（例えば、単なるビープなどに相当する）を送信して、周辺装置１５から中央基地２１に今からデータを転送できる旨、周辺装置１５に知らせる。
【００６５】
データ損失を回避するためには、衝突防止プロトコルが必要である。この衝突防止プロトコルは、複数の周辺装置１５がデータを同時に送信するのを防止することができる。このため、例えば製造時またはデータ転送システム１３の初期設定時に割り当てられた識別番号に従って、異なる周辺装置１５に異なるタイムスロットが割り当てられる。あるタイムスロット中は、識別番号がこのスロットに関係している周辺装置１５が、データフレームを中央基地２１に送信することができる。
【００６６】
この場合、中央基地の動作モードに応じて、２つの形態が可能である。
−中央基地２１をデータ受信可能にするのに、ただ１つの周辺装置１５から供給されるエネルギーで十分な場合、様々な周辺装置１５はそれぞれ、自装置に割り当てられたタイムスロット中に順に信号を送信する。この信号は、中央基地２１へのエネルギーの供給と、周辺装置１５の測定手段１７が行った測定に対応するデータの送信との両方を可能にする。さらに、これらのタイムスロットの継続期間は、選択されたプロトコルに応じて変わってもよく、例えば１０ｍｓまたは２０ｍｓでもよい。
【００６７】
図１４は、時間ｔの関数として、３つの周辺装置１５ａ、１５ｂ、１５ｃと１つの中央基地２１についての、種々のデータ送信ステップを示す。
【００６８】
すべての周辺装置１５に共通のフェーズＴ１は、前述の同期プロトコルの１つに従った同期フェーズに相当する。同期フェーズが終わると、中央基地２１は、エネルギーを受け取り、このエネルギーが所定の閾値に達すると、中央基地２１から周辺装置１５への起動信号の返信に相当するフェーズＴ２が開始される。第１の周辺装置、ここでは周辺装置１５ａは、起動信号を受信すると、フェーズＴ３中にその測定値に対応するデータを送信する。所定のタイムスロットに相当するフェーズＴ３によって、周辺装置１５は、測定値に対応するデータの転送ができるようになる。次いで、フェーズＴ３が終わると、第２の周辺装置１５ｂが、フェーズＴ４中にその測定値に対応するデータを送信する。次いで、フェーズＴ４が終わると、第３の周辺装置１５ｃが、フェーズＴ５中にその測定値に対応するデータを送信する。フェーズＴ５の後のフェーズＴ６は、中央基地２１によるデータ処理に相当する。この処理は、データの受信より多くのエネルギーを必要とすることがあるので、周辺装置１５のすべてが、フェーズＴ６の期間中、中央基地２１へのエネルギー転送のための信号を送信する。データ処理中に中央基地２１に電力を供給するのに、ただ１つの周辺装置１５からのエネルギーで十分な場合は、例えば第３の周辺装置１５ｃだけが、送信を続けて、フェーズＴ６の期間中エネルギーを送信する。フェーズＴ６が終わると、中央基地２１は、例えば、周辺装置１５に（今までどおり電荷変調によって）起動停止信号を送信して、データ処理の終了を通知し、周辺装置１５は、送信を停止する。
【００６９】
−中央基地２１がデータを受信するために、すべての周辺装置１５から供給されるエネルギーを必要とする場合、すべての周辺装置１５が信号を送信して、データの送信期間を通してエネルギーの送信ができるようにし、それぞれの周辺装置１５は、その測定手段１７が行う測定に対応するデータを送信する。
【００７０】
図１５は、時間ｔの関数として、３つの周辺装置１５ａ、１５ｂ、１５ｃと１つの中央基地２１についての、異なるデータ送信ステップを示す。
【００７１】
フェーズＴ１は、前の実施形態と共通であり、前述の方法の１つによる周辺装置の同期に相当する。フェーズＴ１が終わると、周辺装置１５ａ、１５ｂ、１５ｃは、信号を送信して基地局２１にエネルギーを転送する。中央基地２１のエネルギーレベルがデータを受信するのに十分になると、中央基地２１は、起動信号を再送信する（フェーズＴ２）。次いで、第１の周辺装置１５ａが、その測定値に対応するデータを送信する（フェーズＴ３）。フェーズＴ３が終わると、第２の周辺装置１５ｂが、その測定値に対応するデータを送信し（フェーズＴ４）、次いでフェーズＴ４が終わると、第３の周辺装置１５ｃが、その測定値に対応するデータを送信する。さらに、フェーズＴ３、Ｔ４およびＴ５中、すべての周辺装置１５（１５ａ、１５ｂ、１５ｃ）は、送信を続けて、中央基地２１にエネルギーを転送して、データ処理を可能にする。フェーズＴ６に関しては、すべての周辺装置１５は、送信を続けて、中央基地２１にエネルギーを転送し、データの処理を可能にする。いったんデータが処理されると、中央基地２１は、例えば周辺装置１５に起動停止信号を再送信して、データ処理の終了を通知し、周辺装置１５に送信を停止させるのがよい。
【００７２】
さらに、データ処理は、例えば、予め定められたパラメータの値を得るための計算、データおよび／または計算したパラメータのバックアップ、データおよび／または計算したパラメータの表示等を備えているのがよい。
【００７３】
さらに、データの送信が信号の同期を妨害しないようにするためには、従って、中央基地２１へのエネルギーの転送を妨害しないようにするためには、信号の変調率は限定される（＜１００％）。
【００７４】
第２の実施形態においては、中央基地２１は、周辺装置１５から送信されるエネルギーを蓄える、例えば充電式電池などの蓄積手段を備えている。従って、周辺装置１５は、エネルギーを回収すると、このエネルギーの少なくとも一部を中央基地２１に送信し、次いで中央基地２１は、このエネルギーを蓄える。このエネルギーは、スタンバイモードの中央基地２１に電力を供給するために使用され、中央基地２１は、プログラムに応じて測定値取得サイクルを開始する。測定値取得サイクルは、無線周波数識別（ＲＦＩＤ）プロトコルに従って進行し、このプロトコルでは、周辺装置１５は、応答装置として受動的に動作し、周辺装置１５が必要とするエネルギーは、中央基地から供給される。従って、この実施形態では、中央基地２１から信号が送信され、周辺装置１５で電荷変調を行って、実施した測定に対応するデータを中央基地２１に再送信する。従って、この実施形態は、標準ＲＦＩＤ通信プロトコルを使用できるようにする。しかし、この実施形態は、誘電結合によるエネルギーの転送を二回行い、大きい損失が生じる。
【００７５】
本発明の実施形態を一層よく理解するために、以下に、これらの実施形態の異なるアプリケーションを詳細に説明する。
【００７６】
第１のアプリケーションは、図１６に示す秤８９に関する。この図の周辺装置１５は、秤８９にユーザが乗っていることにより生じる力を測定する手段１７を備えている。この測定手段は、例えば、ユーザの足の位置にある測定器の歪みゲージである。周辺装置は、エネルギー回収手段１９を備えるのがよい。このエネルギー回収手段１９は、例えば磁石マイクロ発電機であり、秤にユーザが乗っていることによって与えられるエネルギーを回転運動に変換して、次いでオルタネータによって電気に変換して、ユーザが秤に乗っていることによって供給されるエネルギーを回収することができる。図１６の例では、データ転送システムすなわち秤８９は、秤８９上のユーザの足の位置の前後にある４つの周辺装置１５を備えていて、エネルギーを最大限に回収している。周辺装置は、無線周波数通信手段２４も備えている。この無線周波数通信手段２４は、例えば図５に示す送信−受信電気回路であり、エネルギーを中央基地２１に転送できる、相互インピーダンスがゼロになるように構成されたダブルループに接続されている。
【００７７】
中央基地２１は、周辺装置１５から送信される無線周波数信号２７を受信できる通信手段２４と、周辺装置１５から送信される歪みゲージの測定値に対応するデータに基づいて、ユーザの体重を決定できる処理手段１８と、この体重を表示する手段とを備えている。従って、ユーザが秤８９の上に立つと、ユーザの体重によってマイクロ発電機が駆動されて、電圧を作り出し、この電圧は、一方で歪みゲージに電力を供給し、他方で無線周波数通信手段２４に電力を供給して、中央基地２１にエネルギーを転送する。さらに、ユーザの体重は、歪みゲージを変形させて、その変形から、ユーザの体重を決定することができる。次いで、中央基地２１に送信された無線周波数信号２７により、中央基地２１は、ユーザの体重を決定して、この体重を表示することができる。従って、この秤８９は、外部からのエネルギーの供給（バッテリまたは主電源への接続）なしに動作し、歪みゲージと中央基地２１との間に接続ケーブルを必要としない。
【００７８】
第２のアプリケーションは、除細動器に関する。心臓に疾患がある人は、埋め込み式の除細動器、言い換えると、心拍を継続的に監視し、必要なときに、放電を行って心臓の刺激または調整を行い、測定および刺激用の電極が直接心臓に埋め込まれる器具、を使用する必要がある。このアプリケーションは、心臓の鼓動によって供給されるエネルギーの一部を、例えば圧電素子または電磁素子などによって回収し、一方で心拍数の測定を行うための電極に電力を供給し、他方で無線周波数通信手段に電力を供給して、測定結果をベッドまたはユーザの腰掛けなどの上にある中央基地に転送できるようにしている。さらに、回収エネルギーは、放電を確実にするためのバッテリを充電するためにも使用できる。他方において、このアプリケーションでは、放電を確実にするためにバッテリの残量監視が行われてもよいし、適切な放電を行うのに周辺装置からの充電では不十分な場合、このバッテリを充電する他の手段も提供されてもよい。従って、心拍数の測定値を中央基地に継続的に送信することができ、中央基地は、プロットの形態でこれらのデータを表示し、例えば心拍数が所定の閾値を超える場合、放電を行う必要があるか否かを判定してもよい。
【００７９】
従って、このアプリケーションは、心臓の鼓動によって供給されるエネルギーを回収することにより、埋め込み電極と中央基地との間のケーブルを廃止して、ユーザの快適度を向上している。
【００８０】
さらに、埋め込み電極は、外部の無線周波数アンテナを使用することにより、病院での検査中に使用することができる。
【００８１】
第３のアプリケーションは、例えば病院のベッドにいる患者の生理的定数を監視する装置に関する。周辺装置は、例えば、電圧、心拍数、体温等のような生理的定数を測定する手段と、例えば、熱電対による心臓エネルギーの回収、および圧電素子による人体の内部および外部の動きに関係する機械的エネルギーの回収のような、測定環境に関係するエネルギーを回収する手段とを備えている。従って、回収エネルギーにより、センサへの電力供給と、中央基地との通信が可能になる。中央基地は、例えば、周辺装置からのデータを受信でき、これらのデータを保存できる中継アンテナから成る装置で構成されてもよく、この装置は、例えば患者の衣類上などの患者の近くに設置され、中央基地が格納したデータは、データ転送システムの外部のＲＦＩＤタイプの読取機によって復元される。さらにデータは、測定手段の中に保存されてもよい。
【００８２】
それ故、本発明の実施形態は、自装置に電力を供給できるとともに、センサが測定したデータの処理を扱う中央基地に電力を供給できるマイクロ発電機などの、センサのネットワークを構成する周辺装置を使用できる一方で、周辺装置と中央基地との間のケーブルを廃止できる。これらの実施形態は、データ転送システムにおける供給エネルギーの使用を最適化でき、アクセスすることが困難な環境にデータ転送システムを設置することを可能にしている。
【符号の説明】
【００８３】
１  中央基地
３  バッテリ
５  無線周波数送信部
７  周辺装置
９  アンテナ
１３  データ転送システム
１５、１５ａ、１５ｂ、１５ｃ  周辺装置
１７  測定手段
１８  処理手段
１９  エネルギー回収手段
２１  中央基地
２３  ダブルループアンテナ
２４  無線周波数通信手段
２５  アンテナ
２６  データ
２７  無線周波数信号
２８  エネルギー
２９  蓄積手段
３１  第１のループ
３３  送信モジュール
３５  第２のループ
３７  受信モジュール
３９  受信増幅回路
４１、４７、５３、５９、６１、６２、６９  入力部、出力部
４３  ゼロ交差検出回路
４５  増幅回路
４９  成形回路
５１  制御回路
５５  スイッチ
５７、８１  局部発振器
６３  電力増幅器
６５  第１の増幅段
６７  第２の増幅段
７１  帯域通過フィルタ
７５  受信回路
７７  共鳴分析モジュール
７９  位相オフセットモジュール
８３  信号成形回路
８５  送信回路
８９  秤
Ａ１〜Ａ６  シュミットトリガ
ＡＮＤ１、ＡＮＤ２  ＡＮＤ論理コネクタ
ＡＯ１〜ＡＯ４  演算増幅器
Ｒ１〜Ｒ２１  抵抗
Ｃ１〜Ｃ１５  コンデンサ
ＤＺ１  ツェナーダイオード
Ｌ１、Ｌ２  インダクタ
Ｑ１  水晶
Ｔ１、Ｔ２、Ｔ３  ＭＯＳＦＥＴトランジスタ
Ｔ１〜Ｔ６  フェーズ
Ｖ１〜Ｖ８  電位
【図１】
2012195938.tif 000003
【図２】
2012195938.tif 000004
【図３】
2012195938.tif 000005
【図４】
2012195938.tif 000006
【図５】
2012195938.tif 000007
【図６】
2012195938.tif 000008
【図７】
2012195938.tif 000009
【図８】
2012195938.tif 000010
【図９】
2012195938.tif 000011
【図１０】
2012195938.tif 000012
【図１１】
2012195938.tif 000013
【図１２】
2012195938.tif 000014
【図１３】
2012195938.tif 000015
【図１４】
2012195938.tif 000016
【図１５】
2012195938.tif 000017
【図１６】
2012195938.tif 000018
【外国語明細書】
2012195938000001.pdf